(57)【要約】  本発明は、歯科矯正アーチワイヤを、ブラケットのアーチワイヤ・スロット内に完全に、又は部分的に、回転させて固定する機構を含む固定式歯科矯正ブラケットを対象とする。
2013511327.tif 000002
【特許請求の範囲】
【請求項１】
後部、中心を備える前部、左右の側部、上部及び底部を有する本体であり、前記本体の前部が、右端及び左端で歯科矯正アーチワイヤを受け入れるように形成された、左の側部から右の側部へと水平に延びるアーチワイヤ・スロットを含む本体と、前記上部及び底部本体に、前記アーチワイヤ・スロット内にアーチワイヤを固定するための結合ワイヤ又はエラストマーの紐のための左及び右結合ウィングとを備える歯科矯正ブラケットと、
前記歯科矯正ブラケットの前記本体前部の前記中心に壁を有する円筒形の凹部であり、前記本体前部で開口し、且つ前記本体後部の方向に延び、円形の床で終わる円筒形の凹部と、
円形のベース、及び前記アーチワイヤ・スロットを介してアーチワイヤを通すことができる開口した対向する側部により分離された２つの付属する対向した柱から構成される、歯科矯正アーチワイヤを固定するための前記円筒形の凹部に入る回転クリップであり、各柱が、自由端と、前記ブラケット前部に面する下側とを備えるｃ形状の延長部を支持しており、前記円形のベースが、前記円形の床に隣接した前記壁に嵌合され、前記対向した柱が、前記円筒形の凹部の壁に嵌合され、且つ前記ｃ形状の延長部が、前記ブラケット前部上で反対方向に延び、前記クリップが前記円筒形の凹部に嵌合され、また前記クリップが、時計方向回転位置に回転したとき、前記ブラケット・スロットが開放されてアーチワイヤの挿入及び取外しが可能になり、また前記クリップが、反時計方向位置に回転したとき、前記ｃ形状の延長部が、前記アーチワイヤ・スロットの前記右端及び左端で、前記アーチワイヤを前記アーチワイヤ・スロット内に保持する、回転クリップと
を備える回転クリップ歯科矯正ブラケット。
【請求項２】
前記左結合ウィングと前記右結合ウィングの間で、前記ブラケットの前記前部の前記中心に、上部及び底部のインデックス・ピン刻み目をさらに備え、測定用の刻み目を備えるインデックス・ピンが、歯の上に前記歯科矯正ブラケットを配置することをガイドするように配置される、請求項１に記載の回転クリップ歯科矯正ブラケット。
【請求項３】
前記ｃ形状の延長部の自由端の下側がそれぞれ、前記歯科矯正ブラケットの前記本体の前記前部の方向に下側に突き出した隆起部を含み、前記本体の前記前部が、前記各隆起部を受け入れるように形成された窪みを含み、前記窪みが、前記各窪みを受け入れるように配置され、且つ前記回転クリップが反時計方向に回転したとき、前記ｃ形状の延長部をアーチワイヤ・スロット中で閉じた位置に固定し、また前記回転クリップが時計方向に回転したとき、前記ｃ形状の延長部を前記アーチワイヤ・スロット中で開放位置に固定する、請求項１に記載の回転クリップ歯科矯正ブラケット。
【請求項４】
前記ｃ形状の延長部の自由端がそれぞれ、前記歯科矯正ブラケットの前記本体の前記前部に面する表面を有し、この表面が、前記ｃ形状の延長部の自由端の方向に斜めに切られてテーパが付けられており、それにより、前記アーチワイヤ・スロット中に配置された歯科矯正アーチワイヤの上を前記ｃ形状の延長部の自由端が容易に摺動できるようになる、請求項１に記載の回転クリップ歯科矯正ブラケット・クリップ。
【請求項５】
前記ｃ形状の延長部は、前記回転クリップが反時計方向に回転したとき、前記アーチワイヤを前記アーチワイヤ・スロット内に受動的に封じ込める平坦な下側を有する、請求項１に記載の回転クリップ歯科矯正ブラケット。
【請求項６】
前記ｃ形状の延長部は、前記回転クリップが反時計方向に回転したとき、前記アーチワイヤを前記アーチワイヤ・スロット内に押し付け、且つ能動的に保持する、前記延長部の自由端の近傍のその下側から突き出た丸い隆起部を有する、請求項１に記載の回転クリップ歯科矯正ブラケット。
【請求項７】
前記ブラケット本体の前面が、自由端及び中央部に下側隆起部を有する前記ｃ形状の延長部の前記自由端を受け入れるように形成された、前記アーチワイヤ・スロットに隣接した切取り部と、前記回転クリップの前記回転中に前記中央下側の隆起部をガイドするための、各ｃ形状の延長部の下にある前記ブラケット本体前面上のチャネルとを有する、請求項１に記載の回転クリップ歯科矯正ブラケット。
【請求項８】
４つのｃ形状の延長部があり、２つの対向する延長部が、前記回転クリップが反時計方向に回転したとき前記アーチワイヤを受動的に封じ込める平坦な下側を備え、また２つのｃ形状の延長部が、前記回転クリップが時計方向に回転したとき前記アーチワイヤを前記アーチワイヤ・スロット内に能動的に封じ込める下側の隆起部を備える、請求項１に記載の回転クリップ歯科矯正ブラケット。
【請求項９】
前記ｃ形状の延長部がそれぞれ、前記アーチワイヤ・スロットの方向に突き出ている延長タブを含む中央部を有し、前記延長タブが、前記回転クリップが前記閉じた位置にあるとき前記アーチワイヤを封じ込め、前記アーチワイヤの前記アーチワイヤ・スロット中への前記閉鎖を促進する、請求項１に記載の回転クリップ歯科矯正ブラケット。
【請求項１０】
前記上部及び底部の左右のウィングが、前記ブラケットの左から前記本体中心へと延びる水平の刻み目を有し、また前記上側及び下側の右ウィングが、前記ブラケットから前記本体中心へと延びる水平の刻み目を有し、前記刻み目が、前記上側ウィングだけに、又は前記下側ウィングだけに、歯科矯正用エラストマーのパワーチェーンを取り付けることを可能にし、それにより、前記エラストマー・チェーンが、前記アーチワイヤに接触しないように、且つ前記アーチワイヤを結紮しないようにし、また前記アーチワイヤを、前記エラストマー・チェーンを取り外すことなく配置し、又は取り外すことを可能にする、請求項１に記載の回転クリップ歯科矯正ブラケット。
【請求項１１】
前記歯科矯正ブラケットを歯の上で位置決めするための水平の測定用刻み目を備えたインデックス・ピンを受け入れるように、隣接する結合ウィングの間に配置された上側及び下側のインデックス・ピン刻み目が存在する、請求項１に記載の回転クリップ歯科矯正ブラケット。
【請求項１２】
前記円筒形の壁が円形のリングを有し、且つ前記回転クリップの前記付属する柱が円形の溝を有し、前記円形のリングが、前記円形の溝の中に置かれたとき、前記回転クリップが、前記円筒形の凹部からはずれることなく回転することが可能になる、請求項１に記載の回転クリップ歯科矯正ブラケット。
【請求項１３】
金属、プラスチック、及びセラミックなどの様々な材料から構成されており、また前記回転クリップが、金属、プラスチック、及びセラミックなどの様々な材料と、様々な色、暗所で光るもの、及び患者が自分の歯を共にたたくことにより活動化されうるＬＥＤ光など装飾的な形態とから構成される取付け可能なクリップを有する、請求項１に記載の回転クリップ歯科矯正ブラケット。
【請求項１４】
後部、中心を備える前部、左右の側部、上部及び底部を有する本体であり、前記本体前部が、右端及び左端で歯科矯正アーチワイヤを受け入れるように形成された、左の側部から右の側部へと水平に延びるアーチワイヤ・スロットを含む本体と、前記上部及び底部本体に、前記アーチワイヤ・スロット内にアーチワイヤを固定するための結合ワイヤ、又はエラストマーの紐のための左及び右結合ウィングとを備える歯科矯正ブラケットと、
前記歯科矯正ブラケットの前記本体前部の前記中心に壁を有する円筒形の凹部であり、前記ブラケット本体前部で開口し、且つ前記ブラケット本体後部の方向に延び、円形の床で終わる円筒形の凹部と、
円形のベース、及び前記アーチワイヤ・スロットを介してアーチワイヤを通すことができる開口した対向する側部により分離された２つの付属する対向した柱から構成される、歯科矯正アーチワイヤを固定するための前記円筒形の凹部に入る回転クリップであり、前記柱が、ｃ形状の延長部の第１及び第２の対向する組を支持しており、前記第１の組が、前記上部の左結合ウィングに隣接するｃ形状の延長部を備え、前記第１の対向するｃ形状の延長部の端部下側がそれぞれ、隆起部を有し、且つ前記第２の対向するｃ形状の延長部の端部下側がそれぞれ、平坦であり、前記円形のベースが、前記円形の床に隣接する前記円筒形の凹部の壁に嵌合され、前記対向した柱が、前記円筒形の凹部の壁に嵌合され、且つ前記ｃ形状の延長部が、反対方向に前記ブラケット前部上で延び、前記クリップが前記円筒形の凹部内に嵌合され、また前記回転クリップが中心位置にあるとき、前記ブラケット・スロットが開放されて、前記アーチワイヤ・スロットにおけるアーチワイヤの挿入及び取外しが可能になり、また前記回転クリップが反時計方向位置に回転したとき、前記ｃ形状の延長部の前記下側上の前記隆起部が、前記アーチワイヤを押して前記アーチワイヤを前記アーチワイヤ・スロットの前記右及び左端部で、前記アーチワイヤ・スロット内に能動的に保持し、前記回転クリップが時計方向に回転したとき、前記ｃ形状の延長部の前記平坦な下側面が、前記アーチワイヤを押して、前記アーチワイヤを前記アーチワイヤ・スロット内で受動的に保持する、回転クリップと
を備える回転クリップ歯科矯正ブラケット。
【請求項１５】
隣接する結合ウィングの間で、前記ブラケット本体の前記前部の前記中心に配置された、上部及び底部のインデックス・ピン刻み目をさらに備え、測定用の刻み目を備えるインデックス・ピンが、歯の上に前記歯科矯正ブラケットを配置することをガイドするように配置される、請求項１４に記載の回転クリップ歯科矯正ブラケット。
【請求項１６】
前記ｃ形状の延長部の自由端がそれぞれ、前記歯科矯正ブラケットの前記本体の前記前部に面する表面を有し、この表面が、前記自由端の方向に斜めに切られてテーパが付けられており、それにより、前記アーチワイヤ・スロット中に配置された歯科矯正アーチワイヤの上を前記ｃ形状の端部が容易に摺動できるようになる、請求項１４に記載の回転クリップ歯科矯正ブラケット・クリップ。
【請求項１７】
前記ブラケットの前面が、下側隆起部を有するｃ形状の延長部の端部を受け入れるように形成された、前記アーチワイヤ・スロットに隣接した切取り部と、前記ｃ形状の延長部の下側隆起部が隣接した前記ブラケットの前面上のチャネルとを有しており、前記切取り部が、前記回転クリップの前記回転中に、前記下側隆起部をガイドする、請求項１４に記載の回転クリップ歯科矯正ブラケット。
【請求項１８】
前記ｃ形状の延長部が、前記アーチワイヤ・スロットの方向に突き出ている延長タブを含む中央部を有し、前記延長タブが、前記回転クリップが前記閉じた位置にあるとき前記アーチワイヤを封じ込め、前記アーチワイヤの前記アーチワイヤ・スロット中への前記閉鎖を促進する、請求項１４に記載の回転クリップ歯科矯正ブラケット。
【請求項１９】
前記上部の左右のウィングが、前記ブラケットの左から前記本体中心へと延びる水平の刻み目を有し、また前記下側の左右のウィングが、前記ブラケットから前記本体中心へと延びる水平の刻み目を有し、前記刻み目が、前記上側ウィングだけに、又は前記下側ウィングだけに、歯科矯正用エラストマーのパワーチェーンを取り付けることを可能にする、請求項１４に記載の回転クリップ歯科矯正ブラケット。
【請求項２０】
前記歯科矯正ブラケットを歯の上に位置決めするための水平の測定用刻み目を備えたインデックス・ピンを受け入れる上側及び下側のインデックス・ピン刻み目がある、請求項１４に記載の回転クリップ歯科矯正ブラケット。
【請求項２１】
前記円筒形の壁が円形のリングを有し、且つ前記回転クリップの前記付属する柱が円形の溝を有し、前記円形のリングが、前記円形の溝の中に置かれたとき、前記回転クリップが、前記円筒形の凹部からはずれることなく回転することが可能になる、請求項１４に記載の回転クリップ歯科矯正ブラケット。
【請求項２２】
金属、プラスチック、及びセラミックなどの様々な材料から構成されており、また前記回転クリップが、金属、プラスチック、及びセラミックなどの様々な材料と、様々な色、暗所で光るもの、及び患者が自分の歯を共にたたくことにより活動化されうるＬＥＤ光など装飾的な形態とから構成される取付け可能なクリップを有する、請求項１４に記載の回転クリップ歯科矯正ブラケット。
【請求項２３】
回転クリップ歯科矯正ブラケットを用いて歯を矯正する方法であって、
回転する歯科矯正ブラケットを歯に取り付けるステップと、
前記歯科矯正ブラケット回転クリップを回転させて、アーチワイヤ・スロットの開放位置にするステップと、
歯科矯正アーチワイヤを前記アーチワイヤ・スロット中に配置するステップと、
前記アーチワイヤが、前記アーチワイヤ・スロット内に封じ込められるまで、前記回転クリップを回転させることにより、前記アーチワイヤを封じ込めるステップと、
前記回転クリップを回転することにより、前記歯科矯正アーチワイヤ・スロットを開放して、アーチワイヤ・スロットの開放位置にするステップと、
前記歯科矯正アーチワイヤを取り外すステップと
を含む方法。
【発明の詳細な説明】
【技術分野】
【０００１】
本発明は、回転させてブラケットのアーチワイヤ・スロット内に歯科矯正アーチワイヤを固定する機構を含む固定式歯科矯正ブラケットを対象とする。
【背景技術】
【０００２】
歯に取り付けられた歯科矯正ブラケットは、アーチワイヤなどにより生成された力を伝達して歯を移動する。ブラケットは、通常、アーチワイヤを受け入れるためのアーチワイヤ・スロットを含む。歯科矯正ブラケットは現在、通常、歯に接着されるか、或いは歯に接着される歯科矯正バンドに溶接される。
【０００３】
ブラケットは、一般に、取り付けられたブラケットの上部及び底部で、対になって上方向及び下方向にそれぞれ突き出ている結合ウィングを使用する。これらのウィングは、より線（結紮糸）、又はエラストマーのＯリングにより、アーチワイヤをブラケットのアーチワイヤ・スロット内で保持できるようにする。現在、自己結紮式の様々なブラケットがある。これらの自己結紮式ブラケットは、いくつかの形態をとってきた。
【０００４】
１９９２年３月１０日に発行され、Ｗｉｌｄｍａｎに付与された米国特許第５,０９４,６１４号は、アーチワイヤの前部に係合するスライド蓋を開示する。蓋は、開示されたブラケットの前部又は前方表面からは窪んでいる。これらのスライド蓋はまた、Ｒｕｓｓｅｌｌに付与された米国特許第２,５４９,５２８号、Ｒｕｓｓｅｌｌらに付与された米国特許第２,６７１,９６４号、及びＪｏｈｎｓｏｎに付与された米国特許第３,１３１,４７４号でも見出される。スライド蓋は、蓋をアーチワイヤの上に移動できる前に、アーチワイヤをアーチワイヤ・スロット内に窪ませることを必要としており、アーチワイヤがアーチワイヤ・スロット内に適正に置かれていることをユーザが視覚的に確認することを非常に困難にしている。従来のブラケットは、アーチワイヤ・スロットに隣接した視覚的な前部表面を有しており、アーチワイヤがアーチワイヤ・スロット中に載置されているかどうかを見ることを容易にしている。これは、窪ませたスライド蓋では行うことができない。実際のアーチワイヤ・スロット面は、スライド蓋の下にある。Ｄａｍｏｎは、この問題を、米国特許第５,２７５,５５７号（１９９４年１月４日）、第５,４２９,５００号（１９９５年７月４日）、及び第５,４６６,１５１号（１９９５年１１月１４日）で解決した。
【０００５】
これらの特許の成果は、突き出している結合ウィング若しくはラグの正常な特徴を維持する、ブラケット内の結紮スライドであり、蓋が閉じた位置にあるとき、アーチワイヤを囲む連続する管を完成できる結紮スライドの形の蓋である。これは、ブラケット上で突き出している延長部を覆うことなく、又はそれと干渉することなく、シャム双子式の（Ｓｉａｍｅｓｅ）、すなわち、ツインのブラケット構成で達成することができる。
【０００６】
Ｐｌｅｔｃｈｅｒは、米国特許第５,３２２,４３５号で、平坦であり、且つブラケットの両側に沿って形成された直立したスロットによりガイドされ、アーチワイヤ・スロットにわたる固定用スライド部材を開示しているが、それにより、ブラケットの側方縁部におけるアーチワイヤ・スロットの重要なコーナへの視覚的なアクセスが曖昧になる。この視覚的なアクセスが明確でなければ、アーチワイヤをブラケット内に取り付ける者は、スライド・カバーを閉じた位置に移動する前に、アーチワイヤ・スロット内でアーチワイヤが適正に載置されていることに関して確信を持つことができない。結合ウィング若しくはラグは、例示されたブラケット形態には含まれていない。
【０００７】
現在、ブラケットを小さくすべきであるという美的要件がある。多くの自己結紮式ブラケットの欠点は、固定カバーがブラケットのサイズを大きくすることである。
【０００８】
Ｄａｍｏｎは、米国特許第６,０７１,１１８号で、アーチワイヤ・スロットへの視覚的アクセスを行えるスライド・カバーを開示しているが、歯肉部位でブラケットを厚くすることによりスライド・カバーを囲むようにしている。
【０００９】
スライド式スプリング・カバー、ヒンジを付けた固定カバー、回転するスライド・カバー、ボールタイプの回転可能なカバーなどが様々な米国特許で開示されてきた。Ａ  Ｃｏｍｐａｎｙ（Ａ社）製の「Ａｃｔｉｖａ（アクティバ）」、Ｏｒｍｃｏ  Ｃｏｒｐｏｒａｔｉｏｎ（オルムコ社）製の「Ｓｐｅｅｄ（スピード）」、及び「Ｅｄｇｅｌｏｃｋ（エッジロック）」、並びに他のものは、市販されている結紮糸のないブラケットの典型的な実例である。
【先行技術文献】
【特許文献】
【００１０】
【特許文献１】米国特許第５,０９４,６１４号
【特許文献２】米国特許第２,５４９,５２８号
【特許文献３】米国特許第２,６７１,９６４号
【特許文献４】米国特許第３,１３１,４７４号
【特許文献５】米国特許第５,２７５,５５７号
【特許文献６】米国特許第５,４２９,５００号
【特許文献７】米国特許第５,４６６,１５１号
【特許文献８】米国特許第５,３２２,４３５号
【特許文献９】米国特許第６,０７１,１１８号
【発明の概要】
【発明が解決しようとする課題】
【００１１】
これらのすべての様々な固定手段の中では、スライド蓋が、望ましいものと考えられてきたが、それは、容易に操作することが可能であり、またアーチワイヤの定期的な調整中に、アーチワイヤ・スロットの開閉を行うのに必要な時間を低減し、且つアーチワイヤのより正確な制御を行えるからである。製作するのに、より複雑で困難であり、且つ費用のかかる他の手段がある。固定手段として使用されるばねは、アーチワイヤをスロット中に保持するのに必要な強さがない。
【課題を解決するための手段】
【００１２】
本発明は、固定式歯科矯正ブラケットを対象とする。固定式歯科矯正ブラケットは、歯科矯正ブラケットのアーチワイヤ・スロット内に歯科矯正アーチワイヤを固定するための回転クリップ装置を含む歯科矯正ブラケットから構成される。歯科矯正ブラケットは、アーチワイヤを受け入れるためのスロットを含む本体と、結紮ワイヤを結ぶためのウィングと、歯科矯正バンドに、又は歯の表面に直接取付け可能なベースと、ブラケットのベースの方向に内側に延びる、本体の前面上の中央の凹部とから構成される。本発明は、歯科矯正アーチワイヤをアーチワイヤ・スロット内に固定するための回転クリップである。クリップを１つの方向に回転させると、アーチワイヤの挿入又は取外しのためにアーチワイヤ・スロットを開放させ、また反対方向に回転させると、アーチワイヤがアーチワイヤ・スロット中に固定される。
【００１３】
回転クリップは、本体から延びるウィングを有する中空の円筒形の本体から構成される。円筒形本体は、円形のベースと、対向する開放側部により分離された対向する２つの垂直な壁とを有する。対向する開放側部は、アーチワイヤ・スロットを介するアーチワイヤが通過できるようにし、且つ回転クリップの回転中の摩擦を低下させる。円形本体は、歯科矯正ブラケット内の凹部内に嵌め合わされて機械的に保持される。ブラケットの凹部は、中空の円形本体を受け入れるように形成され、且つそのような寸法になっている。円形本体及びブラケットの凹部は、ブラケットの凹部内で回転クリップの回転をさらに可能にする適合した隆起部を備える円形の溝など、保持装置を含むことができる。ウィングは、垂直の円筒形本体から歯科矯正ブラケットの表面上に横方向に延びる。管状の本体は、歯科矯正ブラケットの凹部内で回転可能である。回転させると、ウィングに時計方向、又は反時計方向運動を起こす。ブラケットのクリップ挿入穴は、クリップが完全に開いたとき、又は完全に閉じたとき、摩擦で把持できるように、完全な円形から、わずかに歪ませることができる。
【００１４】
好ましい実施例では、ウィングの先端は、回転クリップが反時計方向に回転したとき、歯科矯正ブラケットのアーチワイヤ・スロット内に歯科矯正アーチワイヤを封じ込める。回転クリップを時計方向に回転させると、歯科矯正アーチワイヤの配置、又は取外しのためにアーチワイヤ・スロットを開く。ウィング先端に伝達される力は、取り付けられた円筒形本体の円形形状から、且つ円形の凹部内への円筒形本体の緊密な嵌合から部分的に導かれる。得られた力は増加してウィングをより薄くすることを可能にし、患者の快適さに対して有利である。一実施例では、ウィングの下側は、ウィングの下側が平坦である場合に、アーチワイヤを受動的に（パッシブに）保持するのとは反対に、アーチワイヤをスロット内に能動的に（アクティブに）保持する隆起部を有する。他の実施例では、回転クリップは、２組のウィングを有しており、その場合、１つのペアは、回転クリップが一方の方向に回転したとき、アーチワイヤに能動的に係合し、また回転クリップが反対方向に回転したとき、アーチワイヤを受動的に保持する。他の好ましい実施例では、固定用クリップ・ウィングが、アーチワイヤ・スロット中にアーチワイヤの大部分を封じ込めるように形成される。他の好ましい実施例では、固定用クリップ・ウィングの下側は、アーチワイヤをアーチワイヤ・スロット中へと押し込むための傾斜面を含む。さらなる実施例では、ウィングの下側は、能動的なクリップ設計のための隆起部を含む。
【００１５】
回転クリップを保持するブラケットの壁は、自己洗浄のため開放したままであり、歯石がたまることを低減し、可動部分を突くことのないようにする。歯ブラシの毛は、ブラケット本体の壁にアクセスすることができる。ブラケット本体の設計は、能動的及び受動的と、能動／受動的設計との両方で同じである。設計は、治療中の任意の時点で、臨床医が、受動的から、能動的に、従来のものへと移行し、且つ戻ることを可能にする。ハイトゲージは、従来通り使用することができる。回転クリップは、開放位置にあるとき、歯肉及び他の歯など、解剖学的構造と干渉することはない。回転クリップ歯科矯正ブラケットは、金属、プラスチック、又はセラミック、或いはそれらの組合せから構成することができる。均等な材料を使うこともできる。ＭＩＭ技術をブラケット本体に対して使用することができるが、その場合、クリップに対する保持はその中に構成され、１体型のブラケット本体組立体には、ＭＩＭによる簡易設計を使用できる可能性がある。ウィング・ドアは、ワイヤをブラケット中心を通過させながら、１つのウィングの周りを閉じることができるので、そのドア設計は、ウィングの近心又は遠心側だけを、大きく回転した歯に係合させることを可能にする。ワイヤは、ドア設計において歯肉側と咬合側から共に係合させることができる。
【００１６】
スロットの完全性を維持する許容範囲を残してブラケットの前面側を切り取ることができ、それは、本体及びアームにおける金属の容積を増加するが、クリップのスロット・カバー部分を、弾性を持たせるために薄くすることが可能になる（受動的／能動的）。往復する開閉ドアで設計することができる。クリップには多くの設計が存在する。設計は、回転クリップを使用しないスタンドアロンのツインとすることのできる同じブラケット本体を用いて、受動的、／能動的、又は能動的／能動的／とすることができる。ウィングは、スペースを閉じるために、又は歯を回転させるために、拘束しないパワーチェーンを使用するように変更することができる。ウィングの横方向表面に水平スロットを追加することができる。垂直及び水平チャネルは、フック及び回転器（ｒｏｔａｔｏｒ）などの付属品のために配置することができる。
【図面の簡単な説明】
【００１７】
【図１】自己結紮式歯科矯正ブラケットの本体の上面斜視図である。
【図２】自己結紮式歯科矯正ブラケットの本体の側面図である。
【図３】自己結紮式歯科矯正ブラケットの回転クリップの斜視図である。
【図４】自己結紮式歯科矯正ブラケットの本体凹部の上面斜視破断図である。
【図５】開放位置にある自己結紮式歯科矯正ブラケットの上面斜視図である。
【図６】自己結紮式歯科矯正ブラケットの本体の破断図内に載置された回転クリップの上面斜視内部図である。
【図７】回転クリップが閉じた位置にある自己結紮式歯科矯正ブラケットの上面斜視図である。
【図８】回転クリップが閉じた位置にある自己結紮式歯科矯正ブラケットの上面斜視内部図である。
【図９】アーチワイヤを備えた自己結紮式歯科矯正ブラケットの上面斜視図である。
【図１０Ａ】回転クリップのアームの斜めに切った端部を備える、Ａ−Ａに沿った図９の自己結紮式歯科矯正ブラケットの断片的な側面図である。
【図１０Ｂ】回転クリップのアームの斜めに切った端部を備える、Ａ−Ａに沿った図９の自己結紮式歯科矯正ブラケットの断片的な側面図である。
【図１０Ｃ】回転クリップのアームの斜めに切った端部を備える、Ａ−Ａに沿った図９の自己結紮式歯科矯正ブラケットの断片的な側面図である。
【図１１Ａ】クリップ・アーム端部の下側に能動的な隆起部を備える、Ａ−Ａに沿った図９の自己結紮式歯科矯正ブラケットの断片的な側面図である。
【図１１Ｂ】クリップ・アーム端部の下側に能動的な隆起部を備える、Ａ−Ａに沿った図９の自己結紮式歯科矯正ブラケットの断片的な側面図である。
【図１２Ａ】クリップ・アーム端部の下側に保持用隆起部を備える、Ａ−Ａに沿った図９の自己結紮式歯科矯正ブラケットの断片的な側面図である。
【図１２Ｂ】クリップ・アーム端部の下側に保持用隆起部を備える、Ａ−Ａに沿った図９の自己結紮式歯科矯正ブラケットの断片的な側面図である。
【図１３】切取りチャネルを備えた自己結紮式歯科矯正ブラケットの上面斜視図である。
【図１４】Ｂ−Ｂに沿った図１３の自己結紮式歯科矯正ブラケットの横断面図である。
【図１５】延長タブが開放位置にある自己結紮式歯科矯正ブラケットの上面斜視図である。
【図１６】延長タブが閉じた位置にある自己結紮式歯科矯正ブラケットの上面斜視図である。
【図１７Ａ】Ｃ−Ｃに沿った図１６の横断面図である。
【図１７Ｂ】Ｃ−Ｃに沿った図１６の横断面図である。
【図１８Ａ】Ｄ−Ｄに沿った図１６の横断面図である。
【図１８Ｂ】Ｄ−Ｄに沿った図１６の横断面図である。
【図１９】インデックス・ピンを備えた自己結紮式歯科矯正ブラケットの上面斜視図である。
【図２０】Ｅ−Ｅに沿った図１９の自己結紮式歯科矯正ブラケットの横断面図である。
【図２１】第２の対のＣ形状の延長部を備え、すべての延長部が開放位置にある自己結紮式歯科矯正ブラケットの上面斜視図である。
【図２２】回転クリップが閉じた位置へと反時計方向に回転した状態にある、第２の対のＣ形状の延長部を備えた自己結紮式歯科矯正ブラケットの上面斜視図である。
【図２３】回転クリップが閉じた位置へと時計方向に回転した状態にある、第２の対のＣ形状の延長部を備えた自己結紮式歯科矯正ブラケットの上面斜視図である。
【図２４】刻み目、及び取り付けたエラストマー・チェーンを備えた一対の自己結紮式歯科矯正ブラケットの上面斜視図である。
【図２５】取付け可能なクリップを備えた自己結紮式歯科矯正ブラケットの上面斜視図である。
【図２６】取付け可能なクリップ、及び回転防止刻み目を備えた自己結紮式歯科矯正ブラケットの上面斜視図である。
【発明を実施するための形態】
【００１８】
本発明は、自己結紮式歯科矯正ブラケット組立体１から構成される。図１は、後面３及び前面４を備えるブラケット本体２を開示する。ブラケット本体２は、左の側部５及び右の側部６を有する。アーチワイヤ・スロット７が、前面３上で左８から右９へと延びる。左１１及び右１２に配置された結合ウィング１０がブラケット本体２に取り付けられている。結合ウィング１０は、上部１３及び底部１４から外方向に延びている。ブラケット本体２の前面４は、円形の前部１７から本体２の後部３の方向に延びて、円形の床で終わる円形の壁１６を有する円筒形の凹部１５を含む。結合ウィング１０は、ブラケットの前面４と結合ウィング１０が同一面となるように、前面４の凹部１９内にフィットしている。図２は、ブラケット本体２を横断面で示す。図３は、図１及び２の円筒形の凹部１５中に取り付けられる回転クリップ２０を開示する。回転クリップ２０は、円形のベース２１を有し、このベース２１は、該ベース２１に対して直角に延びる、対向した柱２２を備える。対向した柱２２の間に開口した対向する側部２３がある。各対向する柱２２の自由端に取り付けられているのは、ｃ形状の延長部２４である。ｃ形状の延長部２４はそれぞれ、自由端２５及び下側２６を備え、水平に延びている。対向した柱２２は、円形の凹部１５の円形の壁１６に嵌合するような寸法の円形の外周を有する。円形の周囲は、円形の溝２７を含む。図４は、回転クリップ２０の円形の溝２７の中に載置される円形のリング２６を備えた凹部の壁１６を開示する円形の凹部１５の拡大図である。円形のリング２６及び円形の溝２７の関係は、回転クリップ２０を円形の凹部１５中に保持し、且つ自由に回転できるようにする。図５は、本発明をその好ましい実施例で開示する。回転クリップ２０は、円形のベース２１が円形の床１７に対して載置されたブラケット本体２の円筒形の凹部１５中に挿入される。ｃ形状の延長部２４は、ブラケット本体２の前部４の表面上で左５及び右６に延びている。開口した対向する側部２３は、水平のアーチワイヤ・スロット７と位置合せされて、アーチワイヤを、アーチワイヤ・スロット７の左端８から、アーチワイヤ・スロット７の右端９まで連続的に移動可能にすることができる。図６は、回転クリップ２０がブラケット本体２内に載置された様子を開示している。円形の溝２７が、対向した柱２２の外面上で水平に示されている。図５及び６は、ｃ形状の延長部２４がアーチワイヤ・スロット７を封じていない開放位置にある回転クリップ２０を示す。この開放位置では、アーチワイヤを、アーチワイヤ・スロット７に配置し、またそこから取り外すことができる。図７で、回転クリップ２０は、反時計方向に回転され、その場合ｃ形状の延長部２４は、アーチワイヤ・スロット７を封じ、それにより、アーチワイヤがアーチワイヤ・スロット７内に含まれることになる。これは閉じた位置と呼ばれる。図８は、ブラケット本体２内に載置されたときの回転クリップ２０の詳細を開示している。対向する柱２２間の開口した対向する側部２３は、アーチワイヤ３０がアーチワイヤ・スロット７の左端８と右端９の間を通ることを可能にする。
【００１９】
図９は、回転クリップ２０が開放位置にあり、且つアーチワイヤ３０がアーチワイヤ・スロット７中にある状態の回転クリップ歯科矯正ブラケット１を開示する。図１０Ａ及び１０Ｂは、点Ａ−Ａに沿った図９の横断面である。ｃ形状の延長部２４は、ブラケット本体２上に存在し、且つ下側２６が斜めに切られた先端縁部２８を有する自由端２５を有し、その場合、斜めに切られた先端縁部２８は、図１０Ｂで示すように、ｃ形状の延長部２４がアーチワイヤ３０の上を摺動するのを容易にする。図１０Ｃは、平坦３１である底側１４を有するｃ形状の延長部２４の横断面である。図１０Ｂでは、平坦３１な底側１４は、アーチワイヤ３０をアーチワイヤ・スロット７中に受動的に保持する。図１１は、ｃ形状の延長部２４の底部１４が、図１１Ｂで示すように、アーチワイヤ３０をアーチワイヤ・スロット７中に能動的に保持する能動的な隆起部３３を有する。図１２Ａで、ｃ形状の延長部２４の底部１４は、保持用隆起部３３を、またブラケット本体２に窪み３４を有する。回転クリップ２０は、保持用隆起部３３が図１２Ｂの窪み中に入った場合、閉じた位置に保持される。図１３は、ブラケット本体２の前部４上の凹んだチャネル４１を開示しており、ｃ形状の延長部２４の下側にある丸い隆起部３５が、回転クリップ２０の回転をガイドする。図１４は、図１３のＢ−Ｂに沿った横断面である。ｃ形状の延長部２４の底部表面上の丸い隆起部３５は、ブラケット本体４１の切取りチャネル４１中に嵌合し、またｃ形状の延長部２４の自由端を受け入れるための切取りチャネル４０は、ｃ形状の延長部２４の底側上の窪み３４を受け入れるための窪み３４を含む。図１５は、アーチワイヤ・スロット７の方向に延びる各ｃ形状の延長部２４上のタブ４２を開示している。タブ４２の底部は滑らかであってもよく、隆起部３５を含んでもよい。図１７Ａ及び１７Ｂは、Ｃ−Ｃに沿った図１６の横断面を示しており、２つの窪み、＃１の窪み４３、＃２の窪み４４が切取りチャネル４０中に存在する。
【００２０】
図１７Ａでは、丸い隆起部３５が、アーチワイヤ３０を受動的に保持する、アーチワイヤ３０上のｃ形状の延長部の平坦な下側に置かれた＃１の窪みの中にある。図１７Ｂは、アーチワイヤ３０を能動的に保持する窪みをアーチワイヤ３０上に配置する、＃２の窪み４４中にある丸い隆起部３５を示している。図１８Ａ及び１８Ｂは、Ｄ−Ｄに沿った図１８を示す。図１８Ａは、アーチワイヤ３０の上にタブ４２の滑らかな下側２６を有するタブ４２を開示しており、アーチワイヤ３０を受動的に保持する。図１８Ｂは、アーチワイヤ上をさらに前進したタブ４２を示しており、タブ４２の下側２６が、アーチワイヤ３０を能動的に保持する隆起部３２を有する。図１９及び２０は、インデックス・ピン４５を開示する。歯科矯正ブラケットが、歯の上に配置されたとき、それらは、歯の切縁、又は咬合面から所定の距離に、ブラケット・スロットを用いて理想的に位置決めされる。さらに、歯科矯正ブラケットの水平方向は、歯の長軸に対して直角に配置される。インデックス・ピン４５は、歯科矯正ブラケットに垂直に取り付けられたピンであり、その配置中に、歯科矯正ブラケットの正しい長軸配置を視覚化することを助ける。図１９は、左１１と右１０の結合ウィング１０の間の座４６中に、自己結紮式歯科矯正組立体１に取り付けられたインデックス・ピン４５を示す。図２０は、図１９のＥ−Ｅに沿った横断面である。さらに、測定用刻み目４７は、その下にあるアーチワイヤ・スロット７の位置を示しており、それは、歯科矯正ブラケットを垂直に位置決めするのを助ける。
【００２１】
図２１〜３３は、ｃ形状の延長部の第２の対が存在する本発明の他の好ましい実施例を開示する。図２１は、開放位置にある自己結紮式歯科矯正ブラケット組立体１を示す。第１のｃ形状の延長部４９は、下側に隆起部３５を有しており、また第２のｃ形状の延長部は、平坦な下側２５ａを有する。図２２は、反時計方向に回転した回転クリップ２０を示しており、その場合、下側の隆起部３５が、アーチワイヤ３０に係合し、且つ能動的に保持する。図２３は、時計方向に回転した回転クリップ２０を示しており、その場合、第２のｃ形状の延長部４８は、アーチワイヤ３０に係合し、且つ受動的に保持する平坦な下側２５ａを有する。図２４は、ブラケット・ウィングの変更形態を開示しており、その場合、上側及び下側の左ウィングは、ブラケットの左から本体中心へと延びる水平の刻み目を有し、また上側及び下側の右ウィングは、ブラケット本体２の中心４へと延びる水平の刻み目５０を有しており、刻み目５０は、上側ウィング１３だけに、又は下側ウィング１４だけに歯科矯正用エラストマーのパワーチェーン５１を取り付けることを可能にする。エラストマー・チェーン５１は、弾性材料から作られた一連の接続された小島状のものである。エラストマー・チェーン５１は、通常、歯の間のスペースを閉じ、歯を回転させ、且つ歯の間の間隔を隙間なく維持するために使用される。エラストマー・チェーン５１は、通常、４つのブラケット・ウィング１０のすべてを囲み、アーチワイヤ３０をアーチワイヤ・スロット７中に固定する。本発明では、エラストマー・チェーン５１がアーチワイヤを封じ込めることはない。エラストマー・チェーン５１は、アーチワイヤ３０を変更することなく変更することができ、或いは逆に、アーチワイヤ３０は、エラストマー・チェーン５１を変更することなく変更することができる。
【００２２】
本発明は、患者によるゴムバンド装着のための一体型フックを含むことができる。代替的には、チャネルを、ゴムバンドのための取外し可能なフック、及び他の取付け具を受け入れるために本発明中に配置することもできる。
【００２３】
本発明は、前述のように、好ましい実施例である前述の特定の諸実施例に限定されるものではない。本発明は、その特許請求の適正な範囲に含まれるその変更形態のいずれにおいても特許請求される。
【図１】
2013511327.tif 000003
【図２】
2013511327.tif 000004
【図３】
2013511327.tif 000005
【図４】
2013511327.tif 000006
【図５】
2013511327.tif 000007
【図６】
2013511327.tif 000008
【図７−８】
2013511327.tif 000009
【図９】
2013511327.tif 000010
【図１０Ａ】
2013511327.tif 000011
【図１０Ｂ】
2013511327.tif 000012
【図１０Ｃ】
2013511327.tif 000013
【図１１Ａ】
2013511327.tif 000014
【図１１Ｂ】
2013511327.tif 000015
【図１２Ａ】
2013511327.tif 000016
【図１２Ｂ】
2013511327.tif 000017
【図１３−１４】
2013511327.tif 000018
【図１５】
2013511327.tif 000019
【図１６】
2013511327.tif 000020
【図１７Ａ】
2013511327.tif 000021
【図１７Ｂ】
2013511327.tif 000022
【図１８Ａ】
2013511327.tif 000023
【図１８Ｂ】
2013511327.tif 000024
【図１９】
2013511327.tif 000025
【図２０】
2013511327.tif 000026
【図２１】
2013511327.tif 000027
【図２２】
2013511327.tif 000028
【図２３】
2013511327.tif 000029
【図２４】
2013511327.tif 000030
【図２５】
2013511327.tif 000031
【図２６】
2013511327.tif 000032
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
後部、中心を備える前部、左右の側部、上部及び底部を有する本体であり、前記本体の前部が、右端及び左端で歯科矯正アーチワイヤを受け入れるように形成された、左の側部から右の側部へと水平に延びるアーチワイヤ・スロットを含む本体と、前記上部及び底部本体に、前記アーチワイヤ・スロット内にアーチワイヤを固定するための結合ワイヤ又はエラストマーの紐のための左及び右結合ウィングとを備える歯科矯正ブラケットと、
前記歯科矯正ブラケットの前記本体前部の前記中心に壁を有する円筒形の凹部であり、前記本体前部で開口し、且つ前記本体後部の方向に延び、円形の床で終わる円筒形の凹部と、
円形のベース、及び前記アーチワイヤ・スロットを介してアーチワイヤを通すことができる開口した対向する側部により分離された２つの付属する対向した柱から構成される、歯科矯正アーチワイヤを固定するための前記円筒形の凹部に入る回転クリップであり、各柱が、自由端と、前記ブラケット前部に面する下側とを備えるｃ形状の延長部を支持しており、前記円形のベースが、前記円形の床に隣接した前記壁に嵌合され、前記対向した柱が、前記円筒形の凹部の壁に嵌合され、且つ前記ｃ形状の延長部が、前記ブラケット前部上で反対方向に延び、前記クリップが前記円筒形の凹部に嵌合され、また前記クリップが、時計方向回転位置に回転したとき、前記ブラケット・スロットが開放されてアーチワイヤの挿入及び取外しが可能になり、また前記クリップが、反時計方向位置に回転したとき、前記ｃ形状の延長部が、前記アーチワイヤ・スロットの前記右端及び左端で、前記アーチワイヤを前記アーチワイヤ・スロット内に保持する、回転クリップと
を備える回転クリップ歯科矯正ブラケット。
【請求項２】
前記左結合ウィングと前記右結合ウィングの間で、前記ブラケットの前記前部の前記中心に、上部及び底部のインデックス・ピン刻み目をさらに備え、測定用の刻み目を備えるインデックス・ピンが、歯の上に前記歯科矯正ブラケットを配置することをガイドするように配置される、請求項１に記載の回転クリップ歯科矯正ブラケット。
【請求項３】
前記ｃ形状の延長部の自由端の下側がそれぞれ、前記歯科矯正ブラケットの前記本体の前記前部の方向に下側に突き出した隆起部を含み、前記本体の前記前部が、前記各隆起部を受け入れるように形成された窪みを含み、前記窪みが、前記各窪みを受け入れるように配置され、且つ前記回転クリップが反時計方向に回転したとき、前記ｃ形状の延長部をアーチワイヤ・スロット中で閉じた位置に固定し、また前記回転クリップが時計方向に回転したとき、前記ｃ形状の延長部を前記アーチワイヤ・スロット中で開放位置に固定する、請求項１に記載の回転クリップ歯科矯正ブラケット。
【請求項４】
前記ｃ形状の延長部の自由端がそれぞれ、前記歯科矯正ブラケットの前記本体の前記前部に面する表面を有し、この表面が、前記ｃ形状の延長部の自由端の方向に斜めに切られてテーパが付けられており、それにより、前記アーチワイヤ・スロット中に配置された歯科矯正アーチワイヤの上を前記ｃ形状の延長部の自由端が容易に摺動できるようになる、請求項１に記載の回転クリップ歯科矯正ブラケット・クリップ。
【請求項５】
前記ｃ形状の延長部は、前記回転クリップが反時計方向に回転したとき、前記アーチワイヤを前記アーチワイヤ・スロット内に受動的に封じ込める平坦な下側を有する、請求項１に記載の回転クリップ歯科矯正ブラケット。
【請求項６】
前記ｃ形状の延長部は、前記回転クリップが反時計方向に回転したとき、前記アーチワイヤを前記アーチワイヤ・スロット内に押し付け、且つ能動的に保持する、前記延長部の自由端の近傍のその下側から突き出た丸い隆起部を有する、請求項１に記載の回転クリップ歯科矯正ブラケット。
【請求項７】
前記ブラケット本体の前面が、自由端及び中央部に下側隆起部を有する前記ｃ形状の延長部の前記自由端を受け入れるように形成された、前記アーチワイヤ・スロットに隣接した切取り部と、前記回転クリップの前記回転中に前記中央下側の隆起部をガイドするための、各ｃ形状の延長部の下にある前記ブラケット本体前面上のチャネルとを有する、請求項１に記載の回転クリップ歯科矯正ブラケット。
【請求項８】
４つのｃ形状の延長部があり、２つの対向する延長部が、前記回転クリップが反時計方向に回転したとき前記アーチワイヤを受動的に封じ込める平坦な下側を備え、また２つのｃ形状の延長部が、前記回転クリップが時計方向に回転したとき前記アーチワイヤを前記アーチワイヤ・スロット内に能動的に封じ込める下側の隆起部を備える、請求項１に記載の回転クリップ歯科矯正ブラケット。
【請求項９】
前記ｃ形状の延長部がそれぞれ、前記アーチワイヤ・スロットの方向に突き出ている延長タブを含む中央部を有し、前記延長タブが、前記回転クリップが前記閉じた位置にあるとき前記アーチワイヤを封じ込め、前記アーチワイヤの前記アーチワイヤ・スロット中への前記閉鎖を促進する、請求項１に記載の回転クリップ歯科矯正ブラケット。
【請求項１０】
前記上部及び底部の左右のウィングが、前記ブラケットの左から前記本体中心へと延びる水平の刻み目を有し、また前記上側及び下側の右ウィングが、前記ブラケットから前記本体中心へと延びる水平の刻み目を有し、前記刻み目が、前記上側ウィングだけに、又は前記下側ウィングだけに、歯科矯正用エラストマーのパワーチェーンを取り付けることを可能にし、それにより、前記エラストマー・チェーンが、前記アーチワイヤに接触しないように、且つ前記アーチワイヤを結紮しないようにし、また前記アーチワイヤを、前記エラストマー・チェーンを取り外すことなく配置し、又は取り外すことを可能にする、請求項１に記載の回転クリップ歯科矯正ブラケット。
【請求項１１】
前記歯科矯正ブラケットを歯の上で位置決めするための水平の測定用刻み目を備えたインデックス・ピンを受け入れるように、隣接する結合ウィングの間に配置された上側及び下側のインデックス・ピン刻み目が存在する、請求項１に記載の回転クリップ歯科矯正ブラケット。
【請求項１２】
前記円筒形の壁が円形のリングを有し、且つ前記回転クリップの前記付属する柱が円形の溝を有し、前記円形のリングが、前記円形の溝の中に置かれたとき、前記回転クリップが、前記円筒形の凹部からはずれることなく回転することが可能になる、請求項１に記載の回転クリップ歯科矯正ブラケット。
【請求項１３】
金属、プラスチック、及びセラミックなどの様々な材料から構成されており、また前記回転クリップが、金属、プラスチック、及びセラミックなどの様々な材料と、様々な色、暗所で光るもの、及び患者が自分の歯を共にたたくことにより活動化されうるＬＥＤ光など装飾的な形態とから構成される取付け可能なクリップを有する、請求項１に記載の回転クリップ歯科矯正ブラケット。
【請求項１４】
後部、中心を備える前部、左右の側部、上部及び底部を有する本体であり、前記本体前部が、右端及び左端で歯科矯正アーチワイヤを受け入れるように形成された、左の側部から右の側部へと水平に延びるアーチワイヤ・スロットを含む本体と、前記上部及び底部本体に、前記アーチワイヤ・スロット内にアーチワイヤを固定するための結合ワイヤ、又はエラストマーの紐のための左及び右結合ウィングとを備える歯科矯正ブラケットと、
前記歯科矯正ブラケットの前記本体前部の前記中心に壁を有する円筒形の凹部であり、前記ブラケット本体前部で開口し、且つ前記ブラケット本体後部の方向に延び、円形の床で終わる円筒形の凹部と、
円形のベース、及び前記アーチワイヤ・スロットを介してアーチワイヤを通すことができる開口した対向する側部により分離された２つの付属する対向した柱から構成される、歯科矯正アーチワイヤを固定するための前記円筒形の凹部に入る回転クリップであり、前記柱が、ｃ形状の延長部の第１及び第２の対向する組を支持しており、前記第１の組が、前記上部の左結合ウィングに隣接するｃ形状の延長部を備え、前記第１の対向するｃ形状の延長部の端部下側がそれぞれ、隆起部を有し、且つ前記第２の対向するｃ形状の延長部の端部下側がそれぞれ、平坦であり、前記円形のベースが、前記円形の床に隣接する前記円筒形の凹部の壁に嵌合され、前記対向した柱が、前記円筒形の凹部の壁に嵌合され、且つ前記ｃ形状の延長部が、反対方向に前記ブラケット前部上で延び、前記クリップが前記円筒形の凹部内に嵌合され、また前記回転クリップが中心位置にあるとき、前記ブラケット・スロットが開放されて、前記アーチワイヤ・スロットにおけるアーチワイヤの挿入及び取外しが可能になり、また前記回転クリップが反時計方向位置に回転したとき、前記ｃ形状の延長部の前記下側上の前記隆起部が、前記アーチワイヤを押して前記アーチワイヤを前記アーチワイヤ・スロットの前記右及び左端部で、前記アーチワイヤ・スロット内に能動的に保持し、前記回転クリップが時計方向に回転したとき、前記ｃ形状の延長部の前記平坦な下側面が、前記アーチワイヤを押して、前記アーチワイヤを前記アーチワイヤ・スロット内で受動的に保持する、回転クリップと
を備える回転クリップ歯科矯正ブラケット。
【請求項１５】
隣接する結合ウィングの間で、前記ブラケット本体の前記前部の前記中心に配置された、上部及び底部のインデックス・ピン刻み目をさらに備え、測定用の刻み目を備えるインデックス・ピンが、歯の上に前記歯科矯正ブラケットを配置することをガイドするように配置される、請求項１４に記載の回転クリップ歯科矯正ブラケット。
【請求項１６】
前記ｃ形状の延長部の自由端がそれぞれ、前記歯科矯正ブラケットの前記本体の前記前部に面する表面を有し、この表面が、前記自由端の方向に斜めに切られてテーパが付けられており、それにより、前記アーチワイヤ・スロット中に配置された歯科矯正アーチワイヤの上を前記ｃ形状の端部が容易に摺動できるようになる、請求項１４に記載の回転クリップ歯科矯正ブラケット・クリップ。
【請求項１７】
前記ブラケットの前面が、下側隆起部を有するｃ形状の延長部の端部を受け入れるように形成された、前記アーチワイヤ・スロットに隣接した切取り部と、前記ｃ形状の延長部の下側隆起部が隣接した前記ブラケットの前面上のチャネルとを有しており、前記切取り部が、前記回転クリップの前記回転中に、前記下側隆起部をガイドする、請求項１４に記載の回転クリップ歯科矯正ブラケット。
【請求項１８】
前記ｃ形状の延長部が、前記アーチワイヤ・スロットの方向に突き出ている延長タブを含む中央部を有し、前記延長タブが、前記回転クリップが前記閉じた位置にあるとき前記アーチワイヤを封じ込め、前記アーチワイヤの前記アーチワイヤ・スロット中への前記閉鎖を促進する、請求項１４に記載の回転クリップ歯科矯正ブラケット。
【請求項１９】
前記上部の左右のウィングが、前記ブラケットの左から前記本体中心へと延びる水平の刻み目を有し、また前記下側の左右のウィングが、前記ブラケットから前記本体中心へと延びる水平の刻み目を有し、前記刻み目が、前記上側ウィングだけに、又は前記下側ウィングだけに、歯科矯正用エラストマーのパワーチェーンを取り付けることを可能にする、請求項１４に記載の回転クリップ歯科矯正ブラケット。
【請求項２０】
前記歯科矯正ブラケットを歯の上に位置決めするための水平の測定用刻み目を備えたインデックス・ピンを受け入れる上側及び下側のインデックス・ピン刻み目がある、請求項１４に記載の回転クリップ歯科矯正ブラケット。
【請求項２１】
前記円筒形の壁が円形のリングを有し、且つ前記回転クリップの前記付属する柱が円形の溝を有し、前記円形のリングが、前記円形の溝の中に置かれたとき、前記回転クリップが、前記円筒形の凹部からはずれることなく回転することが可能になる、請求項１４に記載の回転クリップ歯科矯正ブラケット。
【請求項２２】
金属、プラスチック、及びセラミックなどの様々な材料から構成されており、また前記回転クリップが、金属、プラスチック、及びセラミックなどの様々な材料と、様々な色、暗所で光るもの、及び患者が自分の歯を共にたたくことにより活動化されうるＬＥＤ光など装飾的な形態とから構成される取付け可能なクリップを有する、請求項１４に記載の回転クリップ歯科矯正ブラケット。
【請求項２３】
請求項１４に記載の回転クリップ歯科矯正ブラケットの使用方法であって、
回転する歯科矯正ブラケットを歯に取り付けるステップと、
前記歯科矯正ブラケット回転クリップを回転させて、アーチワイヤ・スロットの開放位置にするステップと、
歯科矯正アーチワイヤを前記アーチワイヤ・スロット中に配置するステップと、
前記アーチワイヤが、前記アーチワイヤ・スロット内に封じ込められるまで、前記回転クリップを回転させることにより、前記アーチワイヤを封じ込めるステップと、
前記回転クリップを回転することにより、前記歯科矯正アーチワイヤ・スロットを開放して、アーチワイヤ・スロットの開放位置にするステップと、
前記歯科矯正アーチワイヤを取り外すステップと
を含む方法。
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
後部、中心を備える前部、左右の側部、上部及び底部を有する本体であり、前記本体の前部が、右端及び左端で歯科矯正アーチワイヤを受け入れるように形成された、左の側部から右の側部へと水平に延びるアーチワイヤ・スロットを含む本体と、前記上部及び底部本体に、前記アーチワイヤ・スロット内にアーチワイヤを固定するための結合ワイヤ又はエラストマーの紐のための左及び右結合ウィングとを備える歯科矯正ブラケットと、
前記歯科矯正ブラケットの前記本体前部の前記中心に壁を有する円筒形の凹部であり、前記本体前部で開口し、且つ前記本体後部の方向に延び、円形の床で終わる円筒形の凹部と、
円形のベース、及び前記アーチワイヤ・スロットを介してアーチワイヤを通すことができる開口した対向する側部により分離された２つの付属する対向した柱から構成される、歯科矯正アーチワイヤを固定するための前記円筒形の凹部に入る回転クリップであり、各柱が、自由端と、前記ブラケット前部に面する下側とを備える延長部を支持しており、前記円形のベースが、前記円形の床に隣接した前記壁に嵌合され、前記対向した柱が、前記円筒形の凹部の壁に嵌合され、且つ前記延長部が、前記ブラケット前部上で反対方向に延び、前記クリップが前記円筒形の凹部に嵌合され、また前記クリップが、開放位置に回転したとき、前記ブラケット・スロットが開放されてアーチワイヤの挿入及び取外しが可能になり、また前記クリップが、閉じた位置に回転したとき、前記延長部が、前記アーチワイヤ・スロットの前記右端及び左端で、前記アーチワイヤを前記アーチワイヤ・スロット内に保持する、回転クリップと
を備える回転クリップ歯科矯正ブラケット。
【請求項２】
前記左結合ウィングと前記右結合ウィングの間で、前記ブラケットの前記前部の前記中心に、上部及び底部のインデックス・ピン刻み目をさらに備え、測定用の刻み目を備えるインデックス・ピンが、歯の上に前記歯科矯正ブラケットを配置することをガイドするように配置される、請求項１に記載の回転クリップ歯科矯正ブラケット。
【請求項３】
前記延長部の自由端の下側がそれぞれ、前記歯科矯正ブラケットの前記本体の前記前部の方向に下側に突き出した隆起部を含み、前記本体の前記前部が、前記各隆起部を受け入れるように形成された窪みを含み、前記窪みが、前記各窪みを受け入れるように配置され、且つ前記回転クリップが前記閉じた位置に回転したとき、前記延長部をアーチワイヤ・スロット中で閉じた位置に固定し、また前記回転クリップが前記開放位置に回転したとき、前記延長部を前記アーチワイヤ・スロット中で開放位置に固定する、請求項１に記載の回転クリップ歯科矯正ブラケット。
【請求項４】
前記延長部の自由端がそれぞれ、前記歯科矯正ブラケットの前記本体の前記前部に面する表面を有し、この表面が、前記延長部の自由端の方向に斜めに切られてテーパが付けられており、それにより、前記アーチワイヤ・スロット中に配置された歯科矯正アーチワイヤの上を前記延長部の自由端が容易に摺動できるようになる、請求項１に記載の回転クリップ歯科矯正ブラケット・クリップ。
【請求項５】
前記延長部は、前記回転クリップが前記閉じた位置に回転したとき、前記アーチワイヤを前記アーチワイヤ・スロット内に受動的に封じ込める平坦な下側を有する、請求項１に記載の回転クリップ歯科矯正ブラケット。
【請求項６】
前記延長部は、前記回転クリップが前記閉じた位置に回転したとき、前記アーチワイヤを前記アーチワイヤ・スロット内に押し付け、且つ能動的に保持する、前記延長部の自由端の近傍のその下側から突き出た丸い隆起部を有する、請求項１に記載の回転クリップ歯科矯正ブラケット。
【請求項７】
前記ブラケット本体の前面が、自由端及び中央部に下側隆起部を有する前記延長部の前記自由端を受け入れるように形成された、前記アーチワイヤ・スロットに隣接した切取り部と、前記回転クリップの前記回転中に前記中央下側の隆起部をガイドするための、各延長部の下にある前記ブラケット本体前面上のチャネルとを有する、請求項１に記載の回転クリップ歯科矯正ブラケット。
【請求項８】
４つの延長部があり、２つの対向する延長部が、前記回転クリップが第１の閉じた位置に回転したとき前記アーチワイヤを受動的に封じ込める平坦な下側を備え、また２つの延長部が、前記回転クリップが第２の閉じた位置に回転したとき前記アーチワイヤを前記アーチワイヤ・スロット内に能動的に封じ込める下側の隆起部を備える、請求項１に記載の回転クリップ歯科矯正ブラケット。
【請求項９】
前記延長部がそれぞれ、前記アーチワイヤ・スロットの方向に突き出ている延長タブを含む中央部を有し、前記延長タブが、前記回転クリップが前記閉じた位置にあるとき前記アーチワイヤを封じ込め、前記アーチワイヤの前記アーチワイヤ・スロット中への前記閉鎖を促進する、請求項１に記載の回転クリップ歯科矯正ブラケット。
【請求項１０】
前記上部及び底部の左右のウィングが、前記ブラケットの左から前記本体中心へと延びる水平の刻み目を有し、また前記上側及び下側の右ウィングが、前記ブラケットから前記本体中心へと延びる水平の刻み目を有し、前記刻み目が、前記上側ウィングだけに、又は前記下側ウィングだけに、歯科矯正用エラストマーのパワーチェーンを取り付けることを可能にし、それにより、前記エラストマー・チェーンが、前記アーチワイヤに接触しないように、且つ前記アーチワイヤを結紮しないようにし、また前記アーチワイヤを、前記エラストマー・チェーンを取り外すことなく配置し、又は取り外すことを可能にする、請求項１に記載の回転クリップ歯科矯正ブラケット。
【請求項１１】
前記歯科矯正ブラケットを歯の上で位置決めするための水平の測定用刻み目を備えたインデックス・ピンを受け入れるように、隣接する結合ウィングの間に配置された上側及び下側のインデックス・ピン刻み目が存在する、請求項１に記載の回転クリップ歯科矯正ブラケット。
【請求項１２】
前記円筒形の壁が円形のリングを有し、且つ前記回転クリップの前記付属する柱が円形の溝を有し、前記円形のリングが、前記円形の溝の中に置かれたとき、前記回転クリップが、前記円筒形の凹部からはずれることなく回転することが可能になる、請求項１に記載の回転クリップ歯科矯正ブラケット。
【請求項１３】
金属、プラスチック、及びセラミックなどの様々な材料から構成されており、また前記回転クリップが、金属、プラスチック、及びセラミックなどの様々な材料と、様々な色、暗所で光るもの、及び患者が自分の歯を共にたたくことにより活動化されうるＬＥＤ光など装飾的な形態とから構成される取付け可能なクリップを有する、請求項１に記載の回転クリップ歯科矯正ブラケット。
【請求項１４】
後部、中心を備える前部、左右の側部、上部及び底部を有する本体であり、前記本体前部が、右端及び左端で歯科矯正アーチワイヤを受け入れるように形成された、左の側部から右の側部へと水平に延びるアーチワイヤ・スロットを含む本体と、前記上部及び底部本体に、前記アーチワイヤ・スロット内にアーチワイヤを固定するための結合ワイヤ、又はエラストマーの紐のための左及び右結合ウィングとを備える歯科矯正ブラケットと、
前記歯科矯正ブラケットの前記本体前部の前記中心に壁を有する円筒形の凹部であり、前記ブラケット本体前部で開口し、且つ前記ブラケット本体後部の方向に延び、円形の床で終わる円筒形の凹部と、
円形のベース、及び前記アーチワイヤ・スロットを介してアーチワイヤを通すことができる開口した対向する側部により分離された２つの付属する対向した柱から構成される、歯科矯正アーチワイヤを固定するための前記円筒形の凹部に入る回転クリップであり、前記柱が、延長部の第１及び第２の対向する組を支持しており、前記第１の組が、前記上部の左結合ウィングに隣接する延長部を備え、前記第１の対向する延長部の端部下側がそれぞれ、隆起部を有し、且つ前記第２の対向する延長部の端部下側がそれぞれ、平坦であり、前記円形のベースが、前記円形の床に隣接する前記円筒形の凹部の壁に嵌合され、前記対向した柱が、前記円筒形の凹部の壁に嵌合され、且つ前記延長部が、反対方向に前記ブラケット前部上で延び、前記クリップが前記円筒形の凹部内に嵌合され、また前記回転クリップが中心位置にあるとき、前記ブラケット・スロットが開放されて、前記アーチワイヤ・スロットにおけるアーチワイヤの挿入及び取外しが可能になり、また前記回転クリップが第１の閉じた位置に回転したとき、前記延長部の前記下側上の前記隆起部が、前記アーチワイヤを押して前記アーチワイヤを前記アーチワイヤ・スロットの前記右及び左端部で、前記アーチワイヤ・スロット内に能動的に保持し、前記回転クリップが第２の閉じた位置に回転したとき、前記延長部の前記平坦な下側面が、前記アーチワイヤを押して、前記アーチワイヤを前記アーチワイヤ・スロット内で受動的に保持する、回転クリップと
を備える回転クリップ歯科矯正ブラケット。
【請求項１５】
隣接する結合ウィングの間で、前記ブラケット本体の前記前部の前記中心に配置された、上部及び底部のインデックス・ピン刻み目をさらに備え、測定用の刻み目を備えるインデックス・ピンが、歯の上に前記歯科矯正ブラケットを配置することをガイドするように配置される、請求項１４に記載の回転クリップ歯科矯正ブラケット。
【請求項１６】
前記延長部の自由端がそれぞれ、前記歯科矯正ブラケットの前記本体の前記前部に面する表面を有し、この表面が、前記自由端の方向に斜めに切られてテーパが付けられており、それにより、前記アーチワイヤ・スロット中に配置された歯科矯正アーチワイヤの上を前記端部が容易に摺動できるようになる、請求項１４に記載の回転クリップ歯科矯正ブラケット・クリップ。
【請求項１７】
前記ブラケットの前面が、下側隆起部を有する延長部の端部を受け入れるように形成された、前記アーチワイヤ・スロットに隣接した切取り部と、前記延長部の下側隆起部が隣接した前記ブラケットの前面上のチャネルとを有しており、前記切取り部が、前記回転クリップの前記回転中に、前記下側隆起部をガイドする、請求項１４に記載の回転クリップ歯科矯正ブラケット。
【請求項１８】
前記延長部が、前記アーチワイヤ・スロットの方向に突き出ている延長タブを含む中央部を有し、前記延長タブが、前記回転クリップが前記閉じた位置にあるとき前記アーチワイヤを封じ込め、前記アーチワイヤの前記アーチワイヤ・スロット中への前記閉鎖を促進する、請求項１４に記載の回転クリップ歯科矯正ブラケット。
【請求項１９】
前記上部の左右のウィングが、前記ブラケットの左から前記本体中心へと延びる水平の刻み目を有し、また前記下側の左右のウィングが、前記ブラケットから前記本体中心へと延びる水平の刻み目を有し、前記刻み目が、前記上側ウィングだけに、又は前記下側ウィングだけに、歯科矯正用エラストマーのパワーチェーンを取り付けることを可能にする、請求項１４に記載の回転クリップ歯科矯正ブラケット。
【請求項２０】
前記歯科矯正ブラケットを歯の上に位置決めするための水平の測定用刻み目を備えたインデックス・ピンを受け入れる上側及び下側のインデックス・ピン刻み目がある、請求項１４に記載の回転クリップ歯科矯正ブラケット。
【請求項２１】
前記円筒形の壁が円形のリングを有し、且つ前記回転クリップの前記付属する柱が円形の溝を有し、前記円形のリングが、前記円形の溝の中に置かれたとき、前記回転クリップが、前記円筒形の凹部からはずれることなく回転することが可能になる、請求項１４に記載の回転クリップ歯科矯正ブラケット。
【請求項２２】
金属、プラスチック、及びセラミックなどの様々な材料から構成されており、また前記回転クリップが、金属、プラスチック、及びセラミックなどの様々な材料と、様々な色、暗所で光るもの、及び患者が自分の歯を共にたたくことにより活動化されうるＬＥＤ光など装飾的な形態とから構成される取付け可能なクリップを有する、請求項１４に記載の回転クリップ歯科矯正ブラケット。
【請求項２３】
請求項１４に記載の回転クリップ歯科矯正ブラケットの使用方法であって、
回転する歯科矯正ブラケットを歯に取り付けるステップと、
前記歯科矯正ブラケット回転クリップを回転させて、アーチワイヤ・スロットの開放位置にするステップと、
歯科矯正アーチワイヤを前記アーチワイヤ・スロット中に配置するステップと、
前記アーチワイヤが、前記アーチワイヤ・スロット内に封じ込められるまで、前記回転クリップを回転させることにより、前記アーチワイヤを封じ込めるステップと、
前記回転クリップを回転することにより、前記歯科矯正アーチワイヤ・スロットを開放して、アーチワイヤ・スロットの開放位置にするステップと、
前記歯科矯正アーチワイヤを取り外すステップと
を含む方法。
【国際調査報告】
2013511327.tif 000033